(57)【要約】【課題】自動検針システム全体の装置交換頻度を少なくし、電池消費を低減した端末網制御装置を提供すること。【解決手段】電池残量が少なくなると、制御部１３が前記制御部１３内部の時計機能、メモリ機能、メータ端末のデータを利用して、設置された端末網制御装置毎に、使用環境に応じて、通信が成功しやすい時に通信することにより、自動検針システム全体の装置交換頻度を少なくし、電池消費を低減することができる。【選択図】図２
2006352408.tif 000002
【特許請求の範囲】
【請求項１】
電話回線との直流抵抗及び交流インピーダンスの整合や接続制御を行う回線終端部と、信号の受信を行う信号受信部と、信号の送信を行う信号送信部と、前記信号受信部を介して受信信号の復調を行い前記電話回線との受信を行ったり、送信信号の変調を行い前記信号送信部，前記回線終端部を介して前記電話回線との送信を行うモデム部と、メータ端末との送受信を行うメータインターフェース部と、前記電話回線からの着信を検出する着信検出部と、前記電話回線の電圧を検出する回線電圧検出部と、前記回線終端部，前記モデム部，前記メータインターフェース部の制御や、前記回線電圧検出部の出力による電話機のオフフック検出，オンフック検出や、電池残量を演算し、電池許容消費限度量を超える前に使用環境に応じて電池切れ制御を行う制御部と、前記回線電圧検出部や前記モデム部や前記制御部に電源を供給する電池部を備えてなる端末網制御装置。
【請求項２】
前記制御部は、前記制御部内部の時計機能を利用して、夜間に端末発呼を行う請求項１に記載の端末網制御装置。
【請求項３】
前記制御部は、前記制御部内部の時計機能を利用して、使用者の電話使用頻度が少ない時間帯に端末発呼を行う請求項１に記載の端末網制御装置。
【請求項４】
前記制御部は、前記制御部内部の時計機能を利用して、ある一定時間使用者の電話使用がなかった場合に端末発呼を行う請求項１に記載の端末網制御装置。
【請求項５】
前記制御部は、前記メータ端末のデータを利用して、ガス消費量がある流量以下の場合に端末発呼を行う請求項１に記載の端末網制御装置。
【発明の詳細な説明】
【技術分野】
【０００１】
本発明は電話回線に接続される端末網制御装置の電池切れ制御方式に関するものである。
【背景技術】
【０００２】
従来、この種の電池駆動制御装置は、例えば図３のようなものがある（例えば、特許文献１参照）。
【０００３】
図３は、従来の電池駆動制御装置の要部フローチャートを示すものである。図３に示すように、機器の消費電力を計算し、この積算値があらかじめ定めた消費限界値を超えた時、または過去の電力の消費パターンから、将来電池が機能しなくなるまでの時間または日数または期日を推定し、その時間、日数、期日がきた時に警報を出す構成である。
【特許文献１】特開平６−１８７５８０号公報
【発明の開示】
【発明が解決しようとする課題】
【０００４】
しかしながら、前記従来の構成では、電話回線が混雑していたり、一時的な電話回線ノイズや事務所等での頻繁な電話機オフフックにより、リトライ回数が増え、電池消費増大、装置交換頻度が高いという課題を有していた。
【０００５】
本発明は、前記従来の課題を解決するもので、使用環境にあった電池切れ制御をすることで、自動検針システム全体の装置交換頻度を少なくし、電池消費を低減した端末網制御装置を提供することを目的とする。
【課題を解決するための手段】
【０００６】
前記従来の課題を解決するために、本発明の端末網制御装置は、電池残量を演算し、電池許容消費限度量を超える前に使用環境に応じて電池切れ制御を行う制御部を設けたものである。
【０００７】
これによって、電池残量が少なくなると、前記制御部が前記制御部内部の時計機能、メモリ機能、メータ端末のデータを利用して、設置された端末網制御装置毎に、使用環境に応じて、通信が成功しやすい時に通信することにより、自動検針システム全体の装置交換頻度を少なくし、電池消費を低減することができる。
【発明の効果】
【０００８】
本発明の端末網制御装置は、自動検針システム全体の装置交換頻度を少なくし、電池消費を低減することができる。
【発明を実施するための最良の形態】
【０００９】
第１の発明は、電話回線との直流抵抗及び交流インピーダンスの整合や接続制御を行う回線終端部と、信号の受信を行う信号受信部と、信号の送信を行う信号送信部と、前記信号受信部を介して受信信号の復調を行い前記電話回線との受信を行ったり、送信信号の変調を行い前記信号送信部，前記回線終端部を介して前記電話回線との送信を行うモデム部と、メータ端末との送受信を行うメータインターフェース部と、前記電話回線からの着信を検出する着信検出部と、前記電話回線の電圧を検出する回線電圧検出部と、前記回線終端部，前記モデム部，前記メータインターフェース部の制御や、前記回線電圧検出部の出力による電話機のオフフック検出，オンフック検出や、電池残量を演算し、電池許容消費
限度量を超える前に使用環境に応じて電池切れ制御を行う制御部と、前記回線電圧検出部や前記モデム部や前記制御部に電源を供給する電池部から構成することにより、電池残量が少なくなると、前記制御部が前記制御部内部の時計機能、メモリ機能、メータ端末のデータを利用して、設置された端末網制御装置毎に、使用環境に応じて、通信が成功しやすい時に通信することにより、自動検針システム全体の装置交換頻度を少なくすることができる。
【００１０】
第２の発明は、特に、第１の発明の制御部に、前記制御部内部の時計機能を利用して、夜間に端末発呼を行うモードを備えることにより、夜間に電話利用の少ない使用者宅の電池消費を低減することができる。
【００１１】
第３の発明は、特に、第１の発明の制御部に、前記制御部内部の時計機能を利用して、使用者の電話使用頻度が少ない時間帯に端末発呼を行うモードを備えることにより、使用者の生活パターンにあわせて電池消費を低減することができる。
【００１２】
第４の発明は、特に、第１の発明の制御部に、前記制御部内部の時計機能を利用して、ある一定時間使用者の電話使用がなかった場合に端末発呼を行うモードを備えることにより、通信完了を早く行いつつ、電池消費を低減することができる。
【００１３】
第５の発明は、特に、第１の発明の制御部に、メータ端末のデータを利用して、ガス消費量がある流量以下の場合に端末発呼を行うモードを備え、ガス消費がある使用者の生活時間帯を避けて端末発呼することにより、電池消費を低減することができる。
【００１４】
（実施の形態１）
図１は、本発明の第１の実施の形態における端末網制御装置のブロック図を示すものである。
【００１５】
図１において、１は本発明の端末網制御装置、２は電話回線、３は端末網制御装置１が取付けられている家の電話機、４はガスメータ等のメータ端末、５は電話回線２との直流抵抗及び交流インピーダンスの整合や接続制御を行う回線終端部、６は信号の受信を行う信号受信部、７は信号の送信を行う信号送信部、８は信号受信部６を介して受信信号の復調を行い電話回線２との受信を行ったり、送信信号の変調を行い信号送信部７，回線終端部５を介して電話回線２との送信を行うモデム部、９はメータ端末４との送受信を行うメータインターフェース部、１０は電話回線２からの着信を検出する着信検出部、１１は電話回線２の電圧を検出する回線電圧検出部、１２は電話回線２と電話機３の接続制御を行う電話機インターフェース部、１３は回線終端部５，モデム部８，メータインターフェース部９の制御や、回線電圧検出部１１の出力により電話機３のオフフック検出，オンフック検出や、電池残量を演算し、電池許容消費限度量を超える前に使用環境に応じて電池切れ制御を行う制御部、１４は回線電圧検出部１１やモデム部８や制御部１３に電源を供給する電池部である。
【００１６】
以上のように構成された端末網制御装置１について、以下にその動作，作用を説明する。
【００１７】
まず、電話回線２を介して自動検針を行う検針センターのセンター装置からの着信動作について説明する。着信検出部１０はセンター装置からの着信信号を検出すると、制御部１３へ通知する。電話回線２からの受信信号は信号受信部６を介してモデム部８により検出される。モデム部８は受信信号を検出すると、制御部１３へ受信信号を通知する。制御部１３はこの受信信号が自装置宛であれば、回線終端部５を通信状態の回線インピーダンスに整合させ、モデム部８，信号送信部７を介して送信信号を電話回線２へ送出する。以
上の動作によりセンター装置との接続を行い、メータインターフェース部９を介してメータ端末４とセンター装置間でデータ通信を行う。
【００１８】
一方、メータ端末４より端末発呼信号がメータインターフェース部９を介して制御部１３へ通知されると、端末網制御装置１は端末発呼動作を行う。制御部１３は回線終端部５を端末発呼状態の回線インピーダンスに整合させ、モデム部８や回線終端部５を制御して発呼先に対してダイヤリングすることで、センター装置との接続を行う。センター装置との接続後は、制御部１３とセンター装置との通信やメータ端末４からセンター装置への検針データの通知などの通信が行われる。また回線電圧検出部１１は電話回線２の回線電圧を検出しており、端末発呼前に制御部１３は予め設定された基準電圧と回線電圧検出部１１で検出した回線電圧を比較するよう構成されており、その内容から電話機３のオフフックを検出すると制御部１３は端末発呼を中断し、電話機３がオンフックされるまで、回線電圧検出部１１にて電話回線２の回線電圧を監視するよう動作する。
【００１９】
図２は、制御部１３による要部フローチャートを示すものである。
【００２０】
図２において、ステップ１５から端末発呼動作が開始し、端末網制御装置１はステップ１６で電池残量を演算する。この電池残量が電池許容消費限度量＋Ａより多ければ、ステップ１７で判定ＹＥＳとなり、端末網制御装置１はステップ１８でセンター装置とリンク確立後、通信を行う。
【００２１】
しかし、電池残量が電池許容消費限度量＋Ａ以下であれば、ステップ１７で判定ＮＯとなり、端末網制御装置１はステップ１９からの電池切れシーケンスに入る。次に、電池残量が電池許容消費限度量より多ければ、ステップ１９で判定ＹＥＳとなり、電話回線が混雑していたり、一時的な電話回線ノイズや事務所等での頻繁な電話機オフフックによる複数回のリトライ通信で電池消費しないように、制御部１３内部の時計機能、メモリ機能、メータ端末のデータを利用して、設置された端末網制御装置毎に、使用環境に応じて、通信が成功しやすい通信条件となると、ステップ２０で判定ＹＥＳとなり、端末網制御装置１はステップ１８でセンター装置とリンク確立後、通信を行う。
【００２２】
しかし、電池残量が電池許容消費限度量以下であれば、ステップ１９で判定ＮＯとなり、端末網制御装置１はステップ２１でセンター装置とリンク確立後、電池切れ警報の通信を行う。
【００２３】
ここで、電池許容消費限度量＋Ａはセンターとの通信が十分正常に行える程度の電池容量に設定しておく。
【００２４】
以上のように、本実施例の形態においては、電池残量が少なくなると、前記制御部が前記制御部内部の時計機能、メモリ機能、メータ端末のデータを利用して、設置された端末網制御装置毎に、使用環境に応じて、通信が成功しやすい時に通信することにより、自動検針システム全体の装置交換頻度を少なくすることができる。
【００２５】
また、本実施の形態の前記制御部に、前記制御部内部の時計機能を利用して、夜間に端末発呼を行うモードを備えることにより、特に、夜間に電話利用の少ない使用者宅の電池消費を低減することができる。
【００２６】
また、本実施の形態の前記制御部に、前記制御部内部の時計機能を利用して、使用者の電話使用頻度が少ない時間帯に端末発呼を行うモードを備えることにより、使用者の生活パターンにあわせて電池消費を低減することができる。
【００２７】
また、本実施の形態の前記制御部に、前記制御部内部の時計機能を利用して、ある一定時間使用者の電話使用がなかった場合に端末発呼を行うモードを備えることにより、通信完了を早く行いつつ、電池消費を低減することができる。
【００２８】
また、本実施の形態の前記制御部に、メータ端末のデータを利用して、ガス消費量がある流量以下の場合に端末発呼を行うモードを備え、ガス消費がある使用者の生活時間帯を避けて端末発呼することにより、電池消費を低減することができる。
【図面の簡単な説明】
【００２９】
【図１】本発明の実施の形態１における端末網制御装置のブロック図
【図２】本発明の実施の形態１における端末網制御装置の要部フローチャート
【図３】従来の電池駆動制御装置の要部フローチャート
【符号の説明】
【００３０】
１  端末網制御装置
２  電話回線
３  電話機
４  メータ端末
５  回線終端部
６  信号受信部
７  信号送信部
８  モデム部
９  メータインターフェース部
１０  着信検出部
１１  回線電圧検出部
１３  制御部
１４  電池部
【図１】
2006352408.tif 000003
【図２】
2006352408.tif 000004
【図３】
2006352408.tif 000005